(57)【要約】【課題】狭額縁化と表示品質の低下抑制を両立させる、表示装置の提供。【解決手段】発光領域を有し、前記発光領域から光を出射する光源部と、表示領域を有し、前記光源部が出射する光の透過を制御することにより、前記表示領域にて画像表示を行う表示パネル部と、平面視して前記表示領域を含む領域を囲うとともに、前記光源部を収納する、筐体部と、を備え、平面視して前記表示領域の周縁における散乱性が、前記表示領域の中心の散乱性より高い、ことを特徴とする、表示装置。【選択図】図２
2016099409.tif 000002
【特許請求の範囲】
【請求項１】
発光領域を有し、前記発光領域から光を出射する光源部と、
表示領域を有し、前記光源部が出射する光の透過を制御することにより、前記表示領域にて画像表示を行う表示パネル部と、
平面視して前記表示領域を含む領域を囲うとともに、前記光源部を収納する、筐体部と、
を備え、
平面視して前記表示領域の周縁における散乱性が、前記表示領域の中心の散乱性より高い、
ことを特徴とする、表示装置。
【請求項２】
前記表示領域の周縁と前記発光領域の周縁との平面視による相対的な位置により、前記表示パネル部へ入射する光の分布が、平面視して前記表示領域の周縁の一部と、前記表示領域の周縁の前記一部に隣接する部分とで、異なっている、
ことを特徴とする、請求項１に記載の表示装置。
【請求項３】
平面視して前記表示領域の周縁から中心にかけて、散乱性が単調減少する、
ことを特徴とする、請求項１又は請求項２に記載の表示装置。
【請求項４】
前記表示パネル部は、ガラス板を備え、
前記ガラス板の表面又は内部に散乱性を高める処理がなされた領域が、前記表示領域の周縁より内側へ３ｍｍ以下にある領域である、
ことを特徴とする、請求項１又は請求項２に記載の表示装置。
【請求項５】
前記発光領域の周縁は、平面視して前記表示領域の周縁より内側に位置する部分を有する、
ことを特徴とする、請求項１乃至請求項４のいずれかに記載の表示装置。
【請求項６】
前記光源部は、１又は複数の突出部を有し、
前記筐体部は、前記１又は複数の突出部それぞれと嵌合するように、１又は複数の切欠け部を有し、
前記発光領域の周縁は、前記突出部に位置する部分を有する、
ことを特徴とする、請求項１乃至請求項４のいずれかに記載の表示装置。
【発明の詳細な説明】
【技術分野】
【０００１】
本発明は、光源を備える表示装置に関する。
【背景技術】
【０００２】
例えば液晶表示装置のように、光源と、表示パネルと、を備える表示装置が用いられている。かかる表示装置は、表示パネルが光源からの光の透過を制御することによって、表示パネルの表示領域にて、画像表示を行っている。
【先行技術文献】
【特許文献】
【０００３】
【特許文献１】特開平１０−１７０９１９号公報
【特許文献２】特開２００５−４９７６４号公報
【発明の概要】
【発明が解決しようとする課題】
【０００４】
光源は発光領域を有し、発光領域から光を出射する。また、表示装置において、平面視して表示領域を囲う領域が額縁領域である。表示領域における表示品質という観点では、表示パネルの光源側にある入射面へ入射する光の分布は、表示領域においてより均一であるのが望ましい。そのためには、発光領域の周縁は平面視して表示領域の周縁よりも外側へ大きく広がっているのが望ましい。発光領域の周縁及びその付近から出射する不均一な光（迷光）が表示領域の周縁部分に入射するのが抑制されるからである。しかしながら、発光領域が表示領域の周縁よりも外側へ大きく広がる場合、それに伴って額縁領域も広がってしまう。
【０００５】
ここで、表示装置がさらに筐体を備え、光源が筐体に収納される場合について考える。この場合、光源は筐体の側壁部分の内側に収納される。また、筐体は平面視して表示領域を含む領域を囲っている。近年、表示装置の狭額縁化が望まれている。表示装置の狭額縁化に伴って、筐体に対する表示領域の寸法マージンも、筐体に対する発光領域の寸法マージンも十分に取ることができなくなる。これらの寸法マージンを十分に取ることが出来ないと、表示パネルの入射面へ入射する光の均一性が低下し、表示領域の表示品質が低下してしまう。発光領域の周縁又はその付近から出射する不均一な光が、表示パネルの表示領域の周縁部分を通過し、観測者に到達してしまうからである。
【０００６】
特許文献１に液晶パネルの表示エリアに発生する「ぎらつき」状の輝線を抑制する技術が開示されている。特許文献１の図１に示すように、レンズシート３と導光体５に挟まれた拡散板４の、バックライト光源８に近い側の面に、光量制御部４ａをドット状に印刷等で形成している。光量制御部４ａのドットは若干の透過性があり、光量制御部４ａは、バックライト光源８の光を、一部は反射させて、残りの光を透過させる。その結果、液晶パネル１の表示エリア１ａ全面を、背後から輝線のない均一でムラのない明るい照光が確保できる。
【０００７】
光源の構成部品のうち、例えば、光学シートに特許文献１に対応する技術を適用することを考える。すなわち、光学シートの端部にインク印刷加工を施すと、光源の発光領域のうち端部における透過率を低下させる。しかしながら、光学シートの位置ずれや、表示パネルと光源との間に位置ずれが生じると、新たな表示品質の低下を招くことにもなり得る。
【０００８】
本発明は、かかる課題を鑑みてなされたものであり、狭額縁化と表示品質の低下抑制を両立させる、表示装置の提供を目的とする。
【課題を解決するための手段】
【０００９】
（１）本発明に係る表示装置は、発光領域を有し、前記発光領域から光を出射する光源部と、表示領域を有し、前記光源部が出射する光の透過を制御することにより、前記表示領域にて画像表示を行う表示パネル部と、平面視して前記表示領域を含む領域を囲うとともに、前記光源部を収納する、筐体部と、を備え、平面視して前記表示領域の周縁における散乱性が、前記表示領域の中心の散乱性より高い、ことを特徴とする。
【００１０】
（２）上記（１）に記載の表示装置であって、前記表示領域の周縁と前記発光領域の周縁との平面視による相対的な位置により、前記表示パネル部へ入射する光の分布が、平面視して前記表示領域の周縁の一部と、前記表示領域の周縁の前記一部に隣接する部分とで、異なっていてもよい。
【００１１】
（３）上記（１）又は（２）に記載の表示装置であって、平面視して前記表示領域の周縁から中心にかけて、散乱性が単調減少してもよい。
【００１２】
（４）上記（１）又は（２）に記載の表示装置であって、前記表示パネル部は、ガラス板を備え、前記ガラス板の表面又は内部に散乱性を高める処理がなされた領域が、前記表示領域の周縁より内側へ３ｍｍ以下にある領域であってもよい。
【００１３】
（５）上記（１）乃至（４）のいずれかに記載の表示装置であって、前記発光領域の周縁は、平面視して前記表示領域の周縁より内側に位置する部分を有してもよい。
【００１４】
（６）上記（１）乃至（４）のいずれかに記載の表示装置であって、前記光源部は、１又は複数の突出部を有し、前記筐体部は、前記１又は複数の突出部それぞれと嵌合するように、１又は複数の切欠け部を有し、前記発光領域の周縁は、前記突出部に位置する部分を有してもよい。
【図面の簡単な説明】
【００１５】
【図１】本発明の実施形態に係る表示装置の斜視図である。
【図２】本発明の実施形態に係る表示装置の断面図である。
【図３】本発明の実施形態に係るガラス基板の平面図である。
【図４】本発明の実施形態に係るガラス基板の散乱性を示す図である。
【図５Ａ】本発明の実施形態に係る光源部の構造を示す平面図である。
【図５Ｂ】本発明の実施形態に係る光源部の構造を示す平面図である。
【図６Ａ】本発明の実施形態に係る光源部の構造を示す平面図である。
【図６Ｂ】本発明の実施形態に係る光源部の構造を示す平面図である。
【図７】光源部のフレームに対する位置ずれの状態を示す図である。
【図８】遮光両面テープのフレームに対する位置ずれの状態を示す図である。
【図９】本発明の実施形態の他の例に係る表示装置の断面図である。
【発明を実施するための形態】
【００１６】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１７】
図１は、本発明の実施形態に係る表示装置の斜視図である。当該実施形態に係る表示装置は液晶表示装置１である。図１に示すように、液晶表示装置１は、内部に光源部６（図示せず）が収納されるフレーム４と、フレーム４に重ねて配置される表示パネル部５と、表示パネル部５の表面に配置されるカバーガラス１３と、を備えている。なお、ここでは便宜上、表示パネル部５とカバーガラス１３とを区別しているが、カバーガラス１３が表示パネル部５に含まれるとしてもよい。
【００１８】
図２は、当該実施形態に係る表示装置の断面図である。図２に示す断面は、図１にＩＩ−ＩＩ線で示す断面を表しており、液晶表示装置１の端部の断面である。図２に示す通り、反射シート２０の上側に、プラスチックで形成されるフレーム４が配置される。反射シート２０が底面であり、フレーム４が側面（側壁部分）であり、反射シート２０とフレーム４とで、上面のない箱形状の筐体部を構成する。筐体部の中に、光源部６が収納される。また、フレーム４の上面に、遮光両面テープ１６が貼付され、遮光両面テープ１６により、フレーム４は表示パネル部５と物理的に接続される。
【００１９】
表示パネル部５は、液晶パネルと、タッチパネル１２と、を含んでいる。液晶パネルは、２枚のガラス基板１０Ａ，１０Ｂ、２枚の偏光板１１Ａ，１１Ｂ、及び液晶２１を含んでいる。２枚のガラス基板１０Ａ，１０Ｂが、液晶２１を封入するよう貼り合わされる。ガラス基板１０Ａの下面及びガラス基板１０Ｂの上面に、偏光板１１Ａ，１１Ｂがそれぞれ配置される。下側のガラス基板１０Ａは、ＴＦＴ基板であり、ガラス基板上にＴＦＴ（Thin Film Transistor：薄膜トランジスタ）などが形成されている。上側のガラス基板１０Ｂは、ＣＦ基板であり、ガラス基板１０Ｂ上（図の下面側）にカラーフィルタ２２が形成されている。
【００２０】
光源部６は、ＬＥＤ発光部３０（図示せず）と、導光板１７と、拡散シート１８と、２枚のプリズムシート１９Ａ，１９Ｂを含んでいる。なお、拡散シート１８やプリズムシート１９Ａ，１９Ｂなど、導光板１７の上に配置するシートを総称して、光学シートと呼んでいる。
【００２１】
表示パネル部５は、平面視して表示領域ＤＡを有する。表示領域ＤＡは、規則的に並ぶ複数の表示ドット（表示画素）が配置される領域であり、表示領域ＤＡの周縁は、かかる複数の表示ドットのうち外縁に配置される表示ドット（の外縁）によって定義される。表示パネル部５は、光源部６が出射する光の透過を、液晶２１に印加する電界によって制御することにより、表示領域ＤＡにて画像表示を行っている。また、光源部６は、平面視して発光領域を有する。光源部６の発光領域から光が出射される。発光領域は、平面視して導光板１７または複数の光学シートが配置される領域である。発光領域の周縁又はその付近から出射する不均一な光の一例が、図２に矢印で模式的に示されている。かかる光が表示パネル部５を通過して観測者側へ進行している。
【００２２】
本発明の主な特徴は、平面視して表示領域ＤＡの周縁における散乱性が、表示領域ＤＡの中心の散乱性より高いことにある。散乱性の程度は、ヘイズという指標を用いて表すことが出来る。ここで、ヘイズは、フィルムや平面版の濁度（曇度）を表し、拡散透過光の全光線透過光に対する割合（％）で定義される。当該実施形態では、表示領域ＤＡの周縁から内側へ所定の領域が高ヘイズ領域ＨＨとなっている。ガラス基板１０Ａは、表示パネル部５が備えるガラス板であり、図２に示す通り、表示パネル部５のガラス基板１０Ａの内部又は表面に散乱性を高める処理がなされている。なお、特許文献２に、画面の中心と周辺部で異なる散乱性を有する光散乱フィルムと、それを備える液晶表示装置が開示されている。しかしながら、特許文献２に係る発明は、光散乱フィルムに関する発明であり、焦点距離及び角度のズレを補正している。よって、筐体部に収納される光源部との位置関係により発生する表示領域の周縁部分の表示品質低下を抑制する本発明と異なっている。
【００２３】
図３は、当該実施形態に係るガラス基板１０Ａの平面図である。図３は、ガラス基板１０Ａを観測者側（光源部６とは反対側）から見た上面を模式的に示している。図３に示す通り、ガラス基板１０Ａにおいて平面視して表示領域となる領域が表示領域ＤＡとして示されている。表示領域ＤＡの周縁から内側へ所定の領域が高ヘイズ領域ＨＨとなっている。
【００２４】
最も簡単な例として、ここでは、高ヘイズ領域ＨＨにおいてヘイズ値が所定の値（第１ヘイズ値）で一定であり、表示領域ＤＡのそれ以外の領域においてヘイズ値が０である。表示領域ＤＡは矩形状を有している。高ヘイズ領域ＨＨは、矩形状の各辺から内側に所定の距離となる領域で、図３に示す通り額縁形状となっている。また、矩形状を有する表示領域ＤＡの中心は、２本の縦辺（長辺）の中心線と、２本の横辺（短辺）の中心線と、の交点で定義できる。また、表示領域ＤＡが厳密に矩形状を有していない場合であっても、長手方向の中心線（長手方向における幅の中心を貫く線）と、短手方向の中心線（短手方向における幅の中心を貫く線）と、の交点で定義できる。
【００２５】
なお、ここでは、表示領域ＤＡのうち、高ヘイズ領域ＨＨにおいてヘイズ値が第１ヘイズ値で一定であり、それ以外の領域においてヘイズ値が０としている。それにより、表示領域ＤＡの中心付近の輝度低下がないという格別の効果を奏する。なお、本発明は、これに限定されることはなく、それ以外の領域において、ヘイズ値を第１ヘイズ値より小さい所定の値（第２ヘイズ値）としてもよいが、第２ヘイズ値は０に近い方が望ましい。
【００２６】
詳細は後述するが、発光領域の周縁又はその付近から出射する不均一な光は、表示領域ＤＡの周縁部分に影響を及ぼす。それゆえ、高ヘイズ領域ＨＨがかかる部分に設けられるのが望ましい。よって、高ヘイズ領域ＨＨは、表示領域ＤＡの周縁よりも内側へ５ｍｍ以下にある領域であるのが望ましく、３ｍｍ以下にある領域であるのがさらに望ましい。当実施形態において、高ヘイズ領域ＨＨは、ガラス基板１０Ａの内部又は表面に散乱性を高める処理がなされた領域である。
【００２７】
表示領域ＤＡにおける散乱性の分布は上記例に限定されることはない。他の例として、表示領域ＤＡの周縁から中心にかけて、散乱性が単調減少している。散乱性が単調減少していることにより、観測者に表示領域において散乱性が均一でないことが視認されにくいという格別な効果を奏する。
【００２８】
特許文献１に開示の技術を応用して、光源部の光学シートの端部にインク印刷加工を施す場合と比較する。かかる場合では、表示装置の落下や振動によるインク割れにより異物が発生し得る。それゆえ、かかる印刷部分が他の部品と貼り付き、光学シートのたわみなどの問題が発生する可能性がある。しかしながら、当該実施形態に係る表示装置は、表示パネル部５に散乱性を高める処理をしており、そのような可能性はない。また、表示パネル部５にかかる処理を施すことにより、表示パネル部５と、光源部６が収納された筐体部とを組み立てる際に生じる位置ずれに起因する表示品質低下のばらつきが抑制される。
【００２９】
図４は、当該実施形態に係るガラス基板１０Ａの散乱性を示す図である。図４の縦軸は、ガラス基板１０Ａにおけるヘイズ値の相対値Ｈを表しており、横軸は、図３に示す表示領域ＤＡの周縁上の点Ａから中心Ｏにかけての位置（position）を表している。ヘイズ値の相対値Ｈとは、表示領域ＤＡの周縁上の点Ａのヘイズ値（第１ヘイズ値）を１とし、中心Ｏのヘイズ値（第２ヘイズ値）を０として、各位置のヘイズ値を相対的に示したものである。すなわち、第１ヘイズ値をｈ１と、第２ヘイズ値ｈ２とし、任意の位置のヘイズ値をｈとするとき、ヘイズ値の相対値Ｈは、Ｈ＝（ｈ−ｈ２）／（ｈ１−ｈ２）で表される。なお、中心Ｏのヘイズ値（第２ヘイズ値）が０である場合、ヘイズ値の相対値Ｈは、Ｈ＝ｈ／ｈ１である。
【００３０】
図４には、ヘイズ値（相対値Ｈ）の分布の３つの例が曲線Ｌ１，Ｌ２，Ｌ３として示されている。曲線Ｌ１は、周縁上の点Ａから所定の距離まで周縁上の一定の値（Ｈ＝１）であり、さらに中心Ｏに進むにつれて中心Ｏのヘイズ値（Ｈ＝０）まで徐々に減少し、さらに中心Ｏまで一定の値（Ｈ＝０）となる。曲線Ｌ２は、周縁上の点Ａから減少を始め中心Ｏに進むにつれて中心Ｏのヘイズ値まで徐々に減少し、さらに中心Ｏまで一定の値（Ｈ＝０）となる。曲線Ｌ３は、周縁上の点Ａから中心Ｏのヘイズ値（Ｈ＝０）まで直線的に減少し、さらに中心Ｏまで一定の値（Ｈ＝０）となる。なお、本明細書において、単調減少をするとは、微分係数が０か負であることを意味しており、曲線Ｌ１のように、一定の値となる領域があることを含んでいる。また、表示領域ＤＡの周縁から外側へ広がる隣接領域も、周縁と同程度の散乱性があるのが望ましい。まず、図４には示していないが、ヘイズ値の分布は、周縁上の点Ａから中心Ｏへ進むにつれて階段状に減少していてもよいが、観測者に視認されにくいという観点では、連続的に（グラデーション状に）減少しているのが望ましい。なお、ヘイズ値が単調減少している場合、高ヘイズ領域ＨＨは、ヘイズ値の相対値Ｈが０．５以上の領域であると定義することが出来る。図４に示す通り、曲線Ｌ１，Ｌ２，Ｌ３それぞれにおいて、高ヘイズ領域ＨＨは、表示領域ＤＡの周縁よりも内側へ距離ｄ１，ｄ２，ｄ３までにある領域である。
【００３１】
表示パネル部５の表示領域ＤＡの周縁部分の散乱性を高めるために、表示パネル部５が備えるガラス板の内部又は表面に散乱性を高める処理について説明する。ここで、そのいくつかの例をガラス基板１０Ａに対する処理として示す。第１には、光拡散性樹脂の塗布がある。ガラス基板１０Ａの下側表面（すなわち、ガラス基板１０Ａと偏光板１１Ａとの間）に、光拡散性樹脂を塗布する。特に、単位面積当たり塗布する樹脂の量を制御することにより、表示領域ＤＡの周縁から中心にかけて、所望のヘイズ値変化を実現できる。
【００３２】
第２には、ガラス基板１０Ａ内部へのレーザ照射がある。例えば、パルスレーザを用いて、ガラスの透明材料に非線形吸収を誘導することが出来る。ガラス基板１０Ａ内部に焦点（集束点）となるようにレーザ光を照射する。焦点で生じる吸収によりガラス内部を曇らせる（高ヘイズ値とする）ことが出来る。レーザ照射量を制御することにより、所望のヘイズ値変化を実現できる。なお、パルスレーザは、ナノ秒パルスレーザであってもよいが、フェムト秒パルスレーザを用いることにより、より微細な加工を行うことが出来る。
【００３３】
他には、例えば、ガラス基板１０Ａと偏光板１１Ａとを貼り合わせる偏光板粘着剤に光拡散性材料を用いてもよい。光拡散性材料の割合を制御することにより、所望のヘイズ値変化を実現できる。また、ガラス基板１０Ａの表面を紙やすりなどにより粗面化することにより、ガラス表面を曇らせてもよい。
【００３４】
以下に、表示領域ＤＡの周縁部分に発生し得る表示品質の低下について説明する。表示領域ＤＡの周縁と発光領域の周縁との平面視による相対的な位置によって、光源部６から出射され表示パネル部５の入射面へ入射する光の分布が不均一となり、これにより周縁部分における表示品質の低下が生じてしまう。光源部６の発光領域には、導光板１７や光学シート（拡散シート１８やプリズムシート１９Ａ，１９Ｂなど）が配置されており、発光領域の周縁やその付近に、導光板１７や光学シートの側面が位置している。そして、発光領域の周縁やその付近には、発光領域に垂直な方向の光のみならず、導光板１７や光学シートの側面から出射する光が回り込んで、又は、フレーム４の内側の側面などで乱反射（照り返し）して、表示パネル部５の入射面へ入射する。それゆえ、かかる光が表示パネル部５の表示領域の周縁を通過しないように、前述の通り、光源部６の発光領域の周縁は表示パネル部５の表示領域の周縁よりも外側へ大きく広がっているのが望ましく、少なくとも光源部６の発光領域の周縁が平面視して表示パネル部５の表示領域の周縁と一致しているのが望ましい。しかし、かかる場合であっても、表示領域の周縁部分に表示品質の低下は生じ得る。最初にこれについて説明する。
【００３５】
図５Ａ、図５Ｂ、図６Ａ、及び図６Ｂは、当該実施形態に係る光源部６の構造を示す平面図である。図５Ａは、光源部６が筐体部に収納され、フレーム４の上面に遮光両面テープ１６が貼付された状態を示している。図５Ｂは、図５Ａの領域Ｘ１の拡大図である。図６Ａは、図５Ａに示す構造から遮光両面テープ１６を除去した状態を示している。図６Ｂは、図６Ａの領域Ｘ２の拡大図である。なお、光源部６はＬＥＤ発光部３０が配置されたフレキシブル基板２５（Flexible Printed Circuits：ＦＰＣ）を備えており、外部よりフレキシブル基板２５を介してＬＥＤ発光部３０に電源電圧が供給される。
【００３６】
これら図に示す通り、光源部６は４つの突出部を有している。すなわち、光源部６の発光領域は、縦辺の頂点近くにそれぞれ耳部（合計で４つの耳部）を有している。筐体部（フレーム４）は、光源部６の４つの突出部（発光領域の４つの耳部）それぞれと嵌合するように、４つの切欠け部を有している。光源部６（導光板１７や発光シート）が筐体部（フレーム４）に収納される際に位置合わせとするために、かかる構造となっている。なお、ここでは、突出部や切欠け部の数はそれぞれ４となっているが、これらに限定されることはなく、光源部６は１又は複数の突出部を有し、１又は複数の突出部それぞれと嵌合するよう、筐体部は１又は複数の切欠け部を有していてもよい。
【００３７】
表示領域ＤＡとフレーム４の内側の側面（側壁部分）との間にも空間（寸法マージン）があり、また、発光領域とフレーム４の内側の側面との間にも空間（寸法マージン）がある。表示領域ＤＡの周縁のうち、光源部６の突出部（発光領域の耳部）がある部分は、耳部からも発光領域に垂直な方向へ光が出射されている。また、発光領域の耳部の先端は遮光両面テープ１６によって覆われているものの、耳部から出射した光がフレーム４の内側の側面などにおける乱反射などによって表示パネル部５の入射面へ入射する。かかる光が、表示領域ＤＡの周辺部分を通過し、表示品質に影響を与える。すなわち、図６Ｂに示す表示領域ＤＡの周縁のうち、発光領域の耳部が位置する部分（周縁の一部）と、その両側の部分（周縁の該一部に隣接する周縁の部分）とで、表示パネル部５の入射面へ入射する光の分布が異なっている。それにより、周縁のうち耳部が位置する部分の近傍において、部分的に明部や暗部、輝線などが発生してしまう。また、光学シートの組み立てにおける位置ずれにより、発光領域の周縁や耳部の付け根が表示領域ＤＡの周縁よりも内側に及ぶと、斜視した場合はもちろん、正面視においても、光学シートの端部や耳部の付け根部分が視認され得る。
【００３８】
フレーム４の側壁部分の幅は、強度確保のために出来る限り厚くするのが望ましい。しかし、発光領域の周縁とフレーム４の内側の側面との間の空間は、組み立てのために必要である。それゆえ、狭額縁化をさらに進めると、表示領域ＤＡの周縁とフレーム４の内側の側面との空間を狭めることとなり、発光領域の周縁は、平面視して表示領域ＤＡの周縁より内側へ及ぶこととなる。図５Ｂ及び図６Ｂに、平面視して表示領域ＤＡの周縁を重ねて示している。図５Ｂ及び図６Ｂに示す通り、発光領域の耳部を除いて、発光領域の周縁は表示領域ＤＡの周縁より内側に位置している。すなわち、発光領域の周縁は、平面視して表示領域ＤＡの周縁より内側に位置する部分を有する。
【００３９】
発光領域の周縁が表示領域ＤＡの周縁より内側に位置することにより、表示品質に影響を与える。すなわち、図５Ｂに示す表示領域ＤＡの周縁のうち、発光領域の耳部が位置する部分以外の部分（周縁の一部）と、周縁よりも内側に位置する部分（周縁の該一部に隣接する部分）とで、表示パネル部５の入射面へ入射する光の分布が異なっている。斜視で発光領域の周縁（端部）が視認されてしまう。
【００４０】
図７は、光源部６のフレーム４に対する位置ずれの状態を示す図である。図７は、図６Ｂに示す構造から、発光領域（光学シート）に組み立て時に左側へ位置ずれ発生した状態を示している。かかる位置ずれにより、表示領域ＤＡの周縁の縦辺部分における表示品質の低下はより大きくなる。図８は、遮光両面テープ１６のフレーム４に対する位置ずれの状態を示す図である。図８は、図６Ｂの構造から、遮光両面テープ１６に左側へ位置ずれが発生した状態を示している。表示領域ＤＡの周縁と遮光両面テープ１６の内縁との間の空間が狭まり、斜視で遮光両面テープ１６の内縁が視認されてしまう。また、遮光両面テープ１６の位置ずれにより、正面視においても遮光両面テープ１６の内縁が視認されうる。
【００４１】
また、フレーム４の側壁部分の幅を狭くすることも考えられる。この場合、光学シートの耳部の長さ（付け根から先端までの距離）には加工限界があるので、加工限界（現状では０．５ｍｍ程度）より短い耳部を作製することが出来ない。フレーム４の側壁部分の幅を狭くすると、光学シートの耳部を遮光両面テープ１６で固定することになる。この場合、斜視で遮光両面テープ１６の内縁が視認されてしまう。さらに、遮光両面テープ１６の幅を狭くするのにも加工限界（現状では０．５ｍｍ程度）がある。表示領域ＤＡの周縁と遮光両面テープ１６との間の空間（寸法マージン）を狭くすることにより、斜視で遮光両面テープ１６の内縁が視認されてしまう。
【００４２】
以上説明した通り、表示領域ＤＡの周縁と発光領域の周縁との平面視して相対的な位置によって、表示領域ＤＡの周縁部分に表示品質が生じ得るところ、本発明により、かかる表示品質の低下が抑制される。上述の通り、狭学額縁化により寸法マージンを狭くしなければならず、特に、発光領域の周縁が平面視して表示領域ＤＡの周縁より内側に位置する場合に、本発明の効果はさらに高まる。
【００４３】
図９は、当該実施形態の他の例に係る表示装置の断面図である。図９に示す表示装置の断面は、図２に示す表示装置の断面に対応している。図９に示す通り、ガラス基板１０Ａの高ヘイズ領域ＨＨは、表示領域ＤＡの周縁の外側（図の左側）へ広がっており、表示パネル部５と光源部６との間の位置ずれが生じた場合であっても、表示領域ＤＡの周縁部分の表示品質の低下を抑制することが出来る。また、光源部６の導光板１７の端部（周縁）が光学シートの端部（周縁）と一致するよう、表示領域ＤＡの周縁より内側へ及んでいる。それ以外については、図９に示す表示装置は、図２に示す表示装置と同じ構造をしている。
【００４４】
図２及び図９に示す通り、光源部６の発光領域の周縁は、表示領域ＤＡの周縁よりも内側にある。かかる場合であれば、発光領域の周縁が表示領域ＤＡの周縁より外側にある場合と比較して、表示領域ＤＡの周縁部分に発生する表示品質はより低下してしまうが、かかる場合であっても、本発明により表示品質の低下が抑制される。光源部６の発光領域には、導光板１７や光学シートが配置されている。導光板１７端部の側面や、光学シート端部の側面から出射する光が、不均一な光となって表示パネル部５の下面へ入射し得る。それゆえ、本発明は、導光板１７端部（周縁）が表示領域ＤＡの周縁より内側にある場合であっても、光学シート端部（周縁）が表示領域ＤＡの周縁より内側にある場合であっても、本発明は格別の効果を奏する。
【００４５】
以上、本発明の実施形態に係る表示装置について説明したが、本発明に係る表示装置は、上記実施形態に限定されることはない。上記実施形態において、表示パネル部５が備えるガラス基板１０Ａの内部又は表面に散乱性を高める処理について説明した。本発明に係るガラス板は、ガラス基板１０Ａに限定されることはなく、ガラス基板１０Ｂやカバーガラス１３などであってもよい。また、上記実施形態において、表示装置は液晶表示装置１を例に説明したが、様々な方式の液晶表示装置に適用することが出来る。さらに、本発明は、液晶表示装置に限定されることはなく、光源と、表示パネルと、を備える表示装置であれば広く適用することが出来る。
【００４６】
本発明の思想の範疇において、当業者であれば、各種の変更例及び修正例に想到し得るものであり、それら変更例及び修正例についても本発明の範囲に属するものと了解される。例えば、前述の各実施形態に対して、当業者が適宜、構成要素の追加、削除若しくは設計変更を行ったもの、又は、工程の追加、省略若しくは条件変更を行ったものも、本発明の要旨を備えている限り、本発明の範囲に含まれる。
【符号の説明】
【００４７】
１  液晶表示装置、４  フレーム、５  表示パネル部、６  光源部、１０Ａ，１０Ｂ  ガラス基板、１１Ａ，１１Ｂ  偏光板、１２  タッチパネル、１３  カバーガラス、１６  遮光両面テープ、１７  導光板、１８  拡散シート、１９Ａ，１９Ｂ  プリズムシート、２０  反射シート、２１  液晶、２２  カラーフィルタ、２５  フレキシブル基板、３０  ＬＥＤ発光部、ＤＡ  表示領域、ＨＨ  高ヘイズ領域。
【図１】
2016099409.tif 000003
【図２】
2016099409.tif 000004
【図３】
2016099409.tif 000005
【図４】
2016099409.tif 000006
【図５Ａ】
2016099409.tif 000007
【図５Ｂ】
2016099409.tif 000008
【図６Ａ】
2016099409.tif 000009
【図６Ｂ】
2016099409.tif 000010
【図７】
2016099409.tif 000011
【図８】
2016099409.tif 000012
【図９】
2016099409.tif 000013